(57)【要約】【課題】スキャナ装置において、カバー部材が開閉される際に発生される空気流が円滑に原稿台上から外側へ逃がされ、原稿台に載置される原稿に位置ずれが生じることを防止する。【解決手段】スキャナ装置１は、原稿が載置される原稿台４と、画像読み取りユニット５等を収納する筐体７と、原稿台４の枠部材８と、原稿台４に密着する閉状態と原稿台４から開離した開状態との間で開閉自在なカバー部材１１を備える。枠部材８の内周に沿った複数の内周側開口１４と、筐体７の外周に沿った複数の外周側開口１６を有し、内周側開口１４と外周側開口１６とは屈曲部１５ａを有する通気路１５によって１対１に連通される。カバー部材１１を開閉する際に発生する空気流は、開口１４、通気路１５、開口１６を介して円滑に外側へ逃がされ、原稿に位置ずれが生じることが防止される。開口１６から侵入する光は屈曲部によって遮蔽され開口１４から出射されることが防止される。【選択図】図２
2007088792.tif 000002
【特許請求の範囲】
【請求項１】
透光性材料で形成され、その上面に原稿が載置される長方形の原稿台と、
前記原稿台の下面に略密着しながら所定方向に移動され、前記原稿台の上面に載置された原稿を読み取る密着型の画像読み取りユニットと、
前記画像読み取りユニットを前記所定方向に移動させる駆動機構と、
前記画像読み取りユニット及び前記駆動機構を収納する筐体と、
前記原稿台の４辺を上下から挟むことにより、前記原稿台を前記筐体に対して保持する枠部材と、
前記筐体又は前記枠部材にヒンジを介して支持され、前記原稿台に密着する閉状態と、前記原稿台から開離した開状態との間で開閉自在なカバー部材を備えたスキャナ装置において、
前記枠部材は、前記原稿台の４辺のうち少なくとも１辺に沿って所定間隔で形成された複数の内周側開口と、前記筐体の外周に沿って形成された複数の外周側開口を有し、
前記内周側開口は、それぞれ通気路を介してそれに対応する前記外周側開口の１つと連通され、
前記通気路は、前記外周側開口から入射した光が前記内周側開口から出射しないように、少なくとも１箇所の屈曲部を有しており、
前記カバー部材を開閉する際に発生される空気流を前記枠部材に形成された内周側開口、通気路及び外周側開口を介して逃がすことにより、前記原稿台の上面に載置された原稿の位置ずれを防止すると共に、
前記枠部材は、前記カバー部材を開閉する際に発生される空気流が前記筐体内部に流れ込まないように前記原稿台が保持されている前記筐体の上部開口を密封し、前記原稿台上の埃が前記筐体内部に侵入することを防止したことを特徴とするスキャナ装置。
【請求項２】
透光性材料で形成され、その上面に原稿が載置される長方形の原稿台と、
前記原稿台の下面に略密着しながら所定方向に移動され、前記原稿台の上面に載置された原稿を読み取る密着型の画像読み取りユニットと、
前記画像読み取りユニットを前記所定方向に移動させる駆動機構と、
前記画像読み取りユニット及び前記駆動機構を収納する筐体と、
前記原稿台の４辺を上下から挟むことにより、前記原稿台を前記筐体に対して保持する枠部材と、
前記筐体又は前記枠部材にヒンジを介して支持され、前記原稿台に密着する閉状態と、前記原稿台から開離した開状態との間で開閉自在なカバー部材を備えたスキャナ装置において、
前記枠部材は、前記原稿台の４辺のうち少なくとも１辺に沿って所定間隔で形成された複数の内周側開口と、前記筐体の外周に沿って形成された複数の外周側開口を有し、
前記内周側開口は、それぞれ前記枠部材の内側に形成された空間を介して２以上の前記外周側開口と連通され、
前記枠部材の内側に形成された空間には、前記外周側開口から入射した光が前記内周側開口から出射しないように、遮光用の衝立が形成され、
前記カバー部材を開閉する際に発生される空気流を前記枠部材に形成された内周側開口、前記空間及び外周側開口を介して逃がすことにより、前記原稿台の上面に載置された原稿の位置ずれを防止すると共に、
前記枠部材は、前記カバー部材を開閉する際に発生される空気流が前記筐体内部に流れ込まないように前記原稿台が保持されている前記筐体の上部開口を密封し、前記原稿台上の埃が前記筐体内部に侵入することを防止したことを特徴とするスキャナ装置。
【請求項３】
透光性材料で形成され、その上面に原稿が載置される長方形の原稿台と、
前記原稿台の下面に略密着しながら所定方向に移動され、前記原稿台の上面に載置された原稿を読み取る密着型の画像読み取りユニットと、
前記画像読み取りユニットを前記所定方向に移動させる駆動機構と、
前記画像読み取りユニット及び前記駆動機構を収納する筐体と、
前記原稿台の４辺を上下から挟むことにより、前記原稿台を前記筐体に対して保持する枠部材と、
前記筐体又は前記枠部材にヒンジを介して支持され、前記原稿台に密着する閉状態と、前記原稿台から開離した開状態との間で開閉自在なカバー部材を備えたスキャナ装置において、
前記枠部材は、前記原稿台の４辺のうち少なくとも１辺に沿って所定間隔で形成された複数の内周側開口と、前記筐体の外周に沿って形成された複数の外周側開口を有し、
前記内周側開口は、それぞれ前記枠部材の内側に形成された空間を介して２以上の前記外周側開口と連通され、
前記枠部材の内側に形成された空間には、前記外周側開口から入射した光が前記内周側開口から出射しないように、遮光用の多孔質体が設けられ、
前記カバー部材を開閉する際に発生される空気流を前記枠部材に形成された内周側開口、前記多孔質体及び外周側開口を介して逃がすことにより、前記原稿台の上面に載置された原稿の位置ずれを防止すると共に、
前記枠部材は、前記カバー部材を開閉する際に発生される空気流が前記筐体内部に流れ込まないように前記原稿台が保持されている前記筐体の上部開口を密封し、前記原稿台上の埃が前記筐体内部に侵入することを防止したことを特徴とするスキャナ装置。
【請求項４】
透光性材料で形成され、その上面に原稿が載置される長方形の原稿台と、
少なくとも一部の構成部材が前記原稿台の下面に対向しつつ所定方向に移動され、前記原稿台の上面に載置された原稿を読み取る画像読み取りユニットと、
前記画像読み取りユニットの少なくとも一部の構成部材を前記所定方向に移動させる駆動機構と、
前記画像読み取りユニット及び前記駆動機構を収納する筐体と、
前記原稿台を前記筐体に対して保持する枠部材と、
前記筐体又は前記枠部材にヒンジを介して支持され、前記原稿台に密着する閉状態と、前記原稿台から開離した開状態との間で開閉自在なカバー部材を備えたスキャナ装置において、
前記枠部材は、前記原稿台の４辺に沿う位置に形成された少なくとも１つの内周側開口と、前記筐体の外周に沿う位置に形成された少なくとも１つの外周側開口を有し、
前記内周側開口と前記外周側開口とは、前記外周側開口から入射した光が前記内周側開口から出射しないように連通路によって連通され、
前記カバー部材を開閉する際に発生される空気流を前記枠部材に形成された内周側開口、連通路及び外周側開口を介して逃がすことにより、前記原稿台の上面に載置された原稿の位置ずれを防止することを特徴とするスキャナ装置。
【請求項５】
前記内周側開口は、前記カバー部材がヒンジにより支持されている側の辺とは反対側の近傍に形成されていることを特徴とする請求項４に記載のスキャナ装置。
【請求項６】
前記内周側開口は、前記原稿台の４辺に沿って所定間隔で複数形成されていることを特徴とする請求項４に記載のスキャナ装置。
【発明の詳細な説明】
【技術分野】
【０００１】
本発明は、スキャナ装置に関し、特に原稿台に密着する閉状態と原稿台から開離した開状態との間で開閉自在なカバー部材を備えるスキャナ装置に関する。
【背景技術】
【０００２】
一般的に、スキャナ装置において原稿を読み取るときには、ユーザが原稿台上の所定位置に原稿を載置した後、カバー部材を原稿台に密着させるようにして閉じ、所定の操作ボタンの押下により画像読み取りユニットを動作させて原稿を読み取らせる。
【０００３】
上記スキャナ装置では、カバー部材を開閉するときの風圧によって、所定位置に載置した原稿が位置ずれを起こしてしまう、あるいは原稿台から落下してしまうという支障が生じることがある。スキャナ機能を備えた電子写真複写機やファクシミリ装置においても同様にカバー部材の開閉によって原稿の位置ずれが生じることがある。この支障が生じないようにするために、カバー部材に多数の空気流通孔を穿設したものが知られている（例えば、特許文献１参照）。
【０００４】
また、原稿載置台自体に複数の通気穴を設け、原稿載置台の裏面側を負圧にすることによって原稿載置台上の原稿を吸引させ、原稿の位置ずれを防ぐようにした装置（例えば、特許文献２参照）や、コンタクトガラス上に載置した原稿の上にさらに透明圧板を載せ、原稿をコンタクトガラスと透明圧板で挟むことによって原稿の位置ずれを防ぐようにした装置（例えば、特許文献３参照）が知られている。
【特許文献１】実開昭５６−１１７７５８号公報
【特許文献２】特開平７−４６３６２号公報
【特許文献３】特開２０００−２３５２３５号公報
【発明の開示】
【発明が解決しようとする課題】
【０００５】
ところが、上記特許文献１に記載の原稿台カバーは、カバー部材自体に空気流通孔を設けるものであるので光もれの虞がある。
【０００６】
また、上記特許文献２に記載のように、原稿載置台自体に設けた通気穴から空気を吸引して原稿を原稿載置台に吸着させるようになった装置では、装置が複雑かつ大掛かりになる上に、画像読み取りユニットが収納された筐体内部に吸引空気とともに、埃が侵入しやすく、読み取りユニット等の故障を引き起こしやすいという欠点もある。
【０００７】
特許文献３に記載の装置では、透明圧板を開閉するときの風圧によって原稿の位置ずれが生じるので、根本的な解決にはならない。
【０００８】
そこで、本発明は、簡単な構造でありながら、カバー部材を開閉する際に発生される空気流が円滑に原稿台上から外側へ逃げ、原稿台の上面の所定位置に載置された原稿の位置ずれを防止することができるスキャナ装置を提供することを目的とする。
【課題を解決するための手段】
【０００９】
上記目的を達成するために請求項１の発明は、透光性材料で形成され、その上面に原稿が載置される長方形の原稿台と、前記原稿台の下面に略密着しながら所定方向に移動され、前記原稿台の上面に載置された原稿を読み取る密着型の画像読み取りユニットと、前記画像読み取りユニットを前記所定方向に移動させる駆動機構と、前記画像読み取りユニット及び前記駆動機構を収納する筐体と、前記原稿台の４辺を上下から挟むことにより、前記原稿台を前記筐体に対して保持する枠部材と、前記筐体又は前記枠部材にヒンジを介して支持され、前記原稿台に密着する閉状態と、前記原稿台から開離した開状態との間で開閉自在なカバー部材を備えたスキャナ装置において、前記枠部材は、前記原稿台の４辺のうち少なくとも１辺に沿って所定間隔で形成された複数の内周側開口と、前記筐体の外周に沿って形成された複数の外周側開口を有し、前記内周側開口は、それぞれ通気路を介してそれに対応する前記外周側開口の１つと連通され、前記通気路は、前記外周側開口から入射した光が前記内周側開口から出射しないように、少なくとも１箇所の屈曲部を有しており、前記カバー部材を開閉する際に発生される空気流を前記枠部材に形成された内周側開口、通気路及び外周側開口を介して逃がすことにより、前記原稿台の上面に載置された原稿の位置ずれを防止すると共に、前記枠部材は、前記カバー部材を開閉する際に発生される空気流が前記筐体内部に流れ込まないように前記原稿台が保持されている前記筐体の上部開口を密封し、前記原稿台上の埃が前記筐体内部に侵入することを防止したことを特徴とする。
【００１０】
請求項２の発明は、透光性材料で形成され、その上面に原稿が載置される長方形の原稿台と、前記原稿台の下面に略密着しながら所定方向に移動され、前記原稿台の上面に載置された原稿を読み取る密着型の画像読み取りユニットと、前記画像読み取りユニットを前記所定方向に移動させる駆動機構と、前記画像読み取りユニット及び前記駆動機構を収納する筐体と、前記原稿台の４辺を上下から挟むことにより、前記原稿台を前記筐体に対して保持する枠部材と、前記筐体又は前記枠部材にヒンジを介して支持され、前記原稿台に密着する閉状態と、前記原稿台から開離した開状態との間で開閉自在なカバー部材を備えたスキャナ装置において、前記枠部材は、前記原稿台の４辺のうち少なくとも１辺に沿って所定間隔で形成された複数の内周側開口と、前記筐体の外周に沿って形成された複数の外周側開口を有し、前記内周側開口は、それぞれ前記枠部材の内側に形成された空間を介して２以上の前記外周側開口と連通され、前記枠部材の内側に形成された空間には、前記外周側開口から入射した光が前記内周側開口から出射しないように、遮光用の衝立が形成され、前記カバー部材を開閉する際に発生される空気流を前記枠部材に形成された内周側開口、前記空間及び外周側開口を介して逃がすことにより、前記原稿台の上面に載置された原稿の位置ずれを防止すると共に、前記枠部材は、前記カバー部材を開閉する際に発生される空気流が前記筐体内部に流れ込まないように前記原稿台が保持されている前記筐体の上部開口を密封し、前記原稿台上の埃が前記筐体内部に侵入することを防止したことを特徴とする。
【００１１】
請求項３の発明は、透光性材料で形成され、その上面に原稿が載置される長方形の原稿台と、前記原稿台の下面に略密着しながら所定方向に移動され、前記原稿台の上面に載置された原稿を読み取る密着型の画像読み取りユニットと、前記画像読み取りユニットを前記所定方向に移動させる駆動機構と、前記画像読み取りユニット及び前記駆動機構を収納する筐体と、前記原稿台の４辺を上下から挟むことにより、前記原稿台を前記筐体に対して保持する枠部材と、前記筐体又は前記枠部材にヒンジを介して支持され、前記原稿台に密着する閉状態と、前記原稿台から開離した開状態との間で開閉自在なカバー部材を備えたスキャナ装置において、前記枠部材は、前記原稿台の４辺のうち少なくとも１辺に沿って所定間隔で形成された複数の内周側開口と、前記筐体の外周に沿って形成された複数の外周側開口を有し、前記内周側開口は、それぞれ前記枠部材の内側に形成された空間を介して２以上の前記外周側開口と連通され、前記枠部材の内側に形成された空間には、前記外周側開口から入射した光が前記内周側開口から出射しないように、遮光用の多孔質体が設けられ、前記カバー部材を開閉する際に発生される空気流を前記枠部材に形成された内周側開口、前記多孔質体及び外周側開口を介して逃がすことにより、前記原稿台の上面に載置された原稿の位置ずれを防止すると共に、前記枠部材は、前記カバー部材を開閉する際に発生される空気流が前記筐体内部に流れ込まないように前記原稿台が保持されている前記筐体の上部開口を密封し、前記原稿台上の埃が前記筐体内部に侵入することを防止したことを特徴とする。
【００１２】
請求項４の発明は、透光性材料で形成され、その上面に原稿が載置される長方形の原稿台と、少なくとも一部の構成部材が前記原稿台の下面に対向しつつ所定方向に移動され、前記原稿台の上面に載置された原稿を読み取る画像読み取りユニットと、前記画像読み取りユニットの少なくとも一部の構成部材を前記所定方向に移動させる駆動機構と、前記画像読み取りユニット及び前記駆動機構を収納する筐体と、前記原稿台を前記筐体に対して保持する枠部材と、前記筐体又は前記枠部材にヒンジを介して支持され、前記原稿台に密着する閉状態と、前記原稿台から開離した開状態との間で開閉自在なカバー部材を備えたスキャナ装置において、前記枠部材は、前記原稿台の４辺に沿う位置に形成された少なくとも１つの内周側開口と、前記筐体の外周に沿う位置に形成された少なくとも１つの外周側開口を有し、前記内周側開口と前記外周側開口とは、前記外周側開口から入射した光が前記内周側開口から出射しないように連通路によって連通され、前記カバー部材を開閉する際に発生される空気流を前記枠部材に形成された内周側開口、連通路及び外周側開口を介して逃がすことにより、前記原稿台の上面に載置された原稿の位置ずれを防止することを特徴とする。
【００１３】
請求項５の発明は、請求項４に記載の発明において、前記内周側開口は、前記カバー部材がヒンジにより支持されている側の辺とは反対側の近傍に形成されていることを特徴とする。
【００１４】
請求項６の発明は、請求項４に記載の発明において、前記内周側開口は、前記原稿台の４辺に沿って所定間隔で複数形成されていることを特徴とする。
【発明の効果】
【００１５】
本発明によれば、カバー部材を開閉する際に発生される空気流が円滑に原稿台上から外側へ逃がされ、原稿台の上面の所定位置に載置された原稿の位置ずれを防止することができる。また、光もれによる読み取り不良の発生を防止することができる。
【発明を実施するための最良の形態】
【００１６】
（第１実施形態）
以下、本発明の第１の実施形態に係るスキャナ装置について、図１乃至図３を参照して説明する。本実施形態のスキャナ装置１は、図１に示すように、透光性のガラス板によって形成され、その上面に原稿３が載置される長方形の原稿台４と、原稿台４の下面に略密着しながら原稿台の長手方向に移動される画像読み取りユニットとしてのＣＩＳ（Ｃｏｎｔａｃｔ  Ｉｍａｇｅ  Ｓｅｎｓｏｒ）５と、ＣＩＳ５を原稿台４の長手方向に往復移動させる駆動機構６と、ＣＩＳ５及び駆動機構６を収納する筐体７と、原稿台４の周囲を囲むようにして原稿台４に固定され原稿台４を筐体７の上部に保持する枠部材８と、枠部材８の一方の長辺にヒンジ９を介して支持され、原稿台４に密着する閉状態と、原稿台４から開離した開状態との間で開閉自在なカバー部材１１を備えている。駆動機構６は、図示しないモータによって回転されるタイミングベルトプーリ１２とタイミングベルトプーリ１２に巻回されたタイミングベルト１３等から構成される。
【００１７】
カバー部材１１は、原稿台４を含む枠部材８のほぼ全面を覆うことが可能な面積を有する長方形板状の本体１１ａと、該本体１１ａの中央に固定され、閉状態にされたときに枠部材８によって囲まれた内側領域に嵌入する原稿押さえクッション１１ｂとから構成される。原稿押さえクッション１１ｂは、ウレタン樹脂等の弾性材からなる原稿台４と略同一面積の長方形の薄板材である。
【００１８】
枠部材８は、原稿台４の４辺を上下から挟む樹脂製の上枠部材８ａと下枠部材８ｂとから構成され、別々に製造された上枠部材８ａと下枠部材８ｂ間に原稿台４の４辺を挟み込んだ後、上枠部材８ａと下枠部材８ｂを接着又はビス等により結合して組み立てるように構成されている。上下の枠部材８ａ、８ｂ間に原稿台４を挟み込んで結合した枠部材８は、全体が１枚の板状体を構成し、筐体７の上部開口を密封するように筐体７に固定される。また、上枠部材８ａは、その断面が、図３に拡大して示すように略Ｌ字状に屈曲されており、屈曲された内側に下枠部材８ｂが嵌合されるようになっている。
【００１９】
そして、この上枠部材８ａには、カバー部材１１がヒンジ９により支持されている側の辺を除く３辺に、枠部材８の内周側と外周側を連通する内周側開口と外周側開口と通気路が次のようにして形成されている。
【００２０】
すなわち、上枠部材８ａの内周には、図１に示すように、長辺及び短辺にそれぞれ複数の溝が略等間隔で形成され、上枠部材８ａを下枠部材８ｂに被せることにより、上枠部材８ａと下枠部材８ｂとの間に通気路１５が形成される。
【００２１】
通気路１５は、Ｌ字状に屈曲された上枠部材８ａに沿うように１つの屈曲部１５ａを有しており、外周側の開口１６から入射した光が屈曲部１５ａで直進を遮られて内周側開口１４から出射しないように構成されている。さらに、本実施形態では、外周側の開口１６が下向きになるので、外光が入射しにくい。
【００２２】
次に、ユーザによって原稿台４上に原稿３が載置された後、カバー部材１１が開閉されるときの空気の流れと、その空気の流れが原稿台４上の原稿３に及ぼす作用について説明する。今、ユーザによって原稿３が原稿台４の所定位置（図１における左奥の位置）に載置され、カバー部材１１が図１の開状態から閉じられると、カバー部材１１の原稿押さえクッション１１ｂが枠部材８の内側スペースに嵌合するようにして原稿台４に密着する。
【００２３】
このとき、原稿押さえクッション１１ｂの下側の空気層は、原稿押さえクッション１１ｂによって勢いよく外側方向へと押し出されるが、前述のように枠部材８の内周には多数の開口１４が形成されているので、外側へ押し出される空気の大部分は、図３の矢印のように、内周側開口１４、通気路１５及び外周側開口１６を通じて円滑に外周へ逃がされる。
【００２４】
そして、カバー部材１１が閉じられた状態では、原稿押さえクッション１１ｂが原稿台４の上面に密着すると共に、カバー部材本体１１ａの外周下面１１ｃが上枠部材８ａの上面８ｃに密着するので、外側からの光が侵入することが防止され、通気路１５に屈曲部１５ａが形成されていることによって外周側開口１６、通気路１５及び内周側開口１４を通じて外側からの光が侵入することも防止される。
【００２５】
また、カバー部材１１がユーザによって上方へ開放されるときには、原稿押さえクッション１１ｂの下方に生じる気圧の低い領域へ向かって外側方向から空気が流入するが、その流入する空気は、内周側開口１４、通気路１５及び外周側開口１６を通じて円滑に流入するので、カバー部材１１を閉じるときと同様に、原稿台４上に不規則な高速空気流が生じず、原稿台４の上の原稿３が位置ずれを生じさせられることがない。
【００２６】
なお、本実施形態では、内周側開口１４、通気路１５及び外周側開口１６は、略等間隔で形成したが、形成する場所によって間隔を変化させるようにしてもよい。例えば、枠部材８の短辺において、カバー部材１１がヒンジ９により支持されている側から遠ざかるにつれて間隔を小さくし（開口１４を密に形成し）、カバー部材１１がヒンジ９により支持されている側から遠ざかるにつれて空気がより円滑に外側へ逃げやすくなるようにしてもよい。このように構成することによって、カバー部材１１が閉じられるときの、原稿台４へ接近する速度は、カバー部材１１がヒンジ９により支持されている側から遠ざかるにつれて大きく、上記不規則な高速空気流も発生しやすいが、この問題を解消することができる。
【００２７】
また、図４に示したように、通気路１５を２箇所の屈曲部１５ｂ、１５ｃを有するものとしてもよい。すなわち、上枠部材８ａと下枠部材８ｂを共に断面が横長の略方形として、上枠部材８ａに通気路１５の前半部となる溝を形成し、下枠部材８ｂに通気路１５の後半部となる溝を形成し、屈曲部１５ｂ、１５ｃとなる位置で２つの溝を連通させる。このように構成することによって、外周側開口１６及び通気路１５を通じて外側から侵入する光をさらに低減させることができる。
【００２８】
（第２実施形態）
次に、枠部材８の内周側に形成される複数の開口と、外周側に形成される複数の開口とが、枠部材８の内部に形成される遮光用の衝立１７を有する空間１８によって連通される第２の実施形態について、図５と図６を参照して説明する。図５は上枠部材８ａの一部を平面視で表した図であり、図６は図５のＶＩ−ＶＩ線矢視断面図である。第２実施形態の上枠部材８ａは、その下半部に上枠部材８ａを平面方向に横断する扁平な空間１８が形成されており、該空間１８に平面視が略Ｉ字状の遮光用衝立１７が多数形成されている。各衝立１７は、図５に示したように、お互いが連結されることなく適当な間隔で規則的に配列されており、上枠部材８ａの内周側に露出した衝立１７の端部同士の間が実質的な開口２１を形成し、外周側に露出した衝立１７の端部同士の間が実質的な開口２２を形成している。このように構成することによって内周側の開口２１から外周側の開口２２へ、空気は流通するが、光の進行が遮られる空間１８が形成される。
【００２９】
上記第２の実施形態についての、カバー部材１１が開閉されるときの空気の流れと、その空気の流れが原稿台４の上の原稿３に及ぼす作用等は、第１の実施形態と同様であり、カバー部材１１が閉じられるとき、原稿押さえクッション１１ｂによって外側方向へ押し出される空気は、上枠部材８ａの内周側の開口２１、空間１８及び外周側の開口２２を介して円滑に外側へ逃がされるので、原稿３が位置ずれを生じさせられることがない。また、カバー部材１１が閉じられた後、外周側の開口２２から侵入する光は、多数の衝立１７によって遮られて内周側の開口２１から出射することがなく、光もれによる読み取り不良が発生することが防止される。
【００３０】
なお、空間１８に形成される遮光用の衝立１７は、平面視がＩ字状のもの以外にもＬ字状、Ｔ字状等の種々の形状が可能であって、それらの配列も種々の変形が可能である。
【００３１】
（第３実施形態）
次に、枠部材８の内周側に形成される複数の開口と、外周側に形成される複数の開口とが、枠部材の内部に形成される遮光用の多孔質体を有する空間によって連通される第３の実施形態について、図７を参照して説明する。第３実施形態の上枠部材８ａは、第２の実施形態と同様に、その下半部に、上枠部材８ａを平面方向に横断する扁平な空間２３が形成されており、該空間２３にスポンジ等の空気を流通する多孔質体２４が充填して設けられている。従って、第３実施形態では、上枠部材８ａの内周側に露出する多孔質体２４の側面によって実質的な開口２５が形成され、上枠部材８ａの外周側に露出する多孔質体２４の側面によって実質的な開口２６が形成される。このように構成することによっても内周側の開口２５から外周側の開口２６へ、空気は流通するが、光の進行が遮られる空間２３が形成される。
【００３２】
上記第３の実施形態についての、カバー部材１１が開閉されるときの空気の流れと、その空気の流れが原稿台上の原稿に及ぼす作用は、第１の実施形態と同様であり、カバー部材１１が閉じられるとき、原稿押さえクッション１１ｂによって外側方向へ押し出される空気は、上枠部材８ａの内周側の開口２５、空間２３（多孔質体２４）及び外周側の開口２６を介して円滑に外側へ逃がされるので、原稿３が位置ずれを生じさせられることがない。また、カバー部材１１が閉じられた後、外周側の開口２６から侵入する光は、多孔質体２４によって遮られて内周側の開口２５から出射することがなく、光もれによる読み取り不良が発生することが防止される。
【００３３】
また、上記第１の実施形態乃至第３の実施形態においては、上枠部材８ａの、カバー部材１１がヒンジ９により支持されている側の辺を除く３辺に開口１４、２１、２５が形成されたが、該開口１４、２１、２５は、カバー部材１１がヒンジ９によって支持されている側の反対側の近傍にのみ形成されてもよいし、枠部材８の内周の４辺全てに沿って形成されてもよい。
【００３４】
いずれにしても、本発明のスキャナ装置１では、カバー部材１１を開閉する際に発生される空気流が円滑に原稿台４上から外側へ逃がされ、原稿台４の上面の所定位置に載置された原稿３の位置ずれを防止することができる。また、カバー部材１１を閉じた状態における光もれによる読み取り不良が発生することも防止できる。
【図面の簡単な説明】
【００３５】
【図１】本発明の第１の実施形態に係るスキャナ装置の斜視図。
【図２】同第１の実施形態に係るスキャナ装置の側断面図。
【図３】同第１の実施形態に係るスキャナ装置の枠部材を拡大して示す側断面図。
【図４】同第１の実施形態に係るスキャナ装置の枠部材の変形例を示す側断面図。
【図５】同第２の実施形態に係るスキャナ装置の枠部材の一部を示す平面図。
【図６】図５のＶＩ−ＶＩ線矢視断面図。
【図７】同第３の実施形態に係るスキャナ装置の枠部材を拡大して示す側断面図。
【符号の説明】
【００３６】
１  スキャナ装置
３  原稿
４  原稿台
５  画像読み取りユニット
６  駆動機構
７  筐体
８  枠部材
１１  カバー部材
１４  内周側開口
１５  通気路（連通路）
１５ａ、１５ｂ、１５ｃ  屈曲部
１６  外周側開口
１７  衝立
１８  空間
２１  内周側開口
２２  外周側開口
２３  空間
２４  多孔質体
２５  内周側開口
２６  外周側開口
【図１】
2007088792.tif 000003
【図２】
2007088792.tif 000004
【図３】
2007088792.tif 000005
【図４】
2007088792.tif 000006
【図５】
2007088792.tif 000007
【図６】
2007088792.tif 000008
【図７】
2007088792.tif 000009